【手続補正書】
【提出日】平成24年7月19日(2012.7.19)
【手続補正１】
【補正対象書類名】特許請求の範囲
【補正対象項目名】全文
【補正方法】変更
【補正の内容】
【特許請求の範囲】
【請求項１】
所望の外形を有するワークピースのフォーミング装置であって、
協働する第１及び第２のダイと、
導電体からなるサセプタであって、前記協働する第１及び第２のダイと共に、前記ワークピースを受けるダイの空洞を画定しており、前記ダイの空洞が前記ワークピースの所望の外形を画定しており、且つ前記ダイの空洞と熱的に連通することにより、前記ワークピースのβ転移温度を上回る第１の温度と、前記ワークピースのβ転移温度を下回る第２の温度との間で前記ワークピースの温度を繰り返し周期的に変化させるサセプタと、
前記ダイの空洞内部に配置されて前記ワークピースの少なくとも一の側面近傍に位置する静圧的圧縮媒体であって、前記第１の温度と前記第２の温度との間で１０３ポアズを上回る粘度を有する液体である媒体と
を備える装置。
【請求項２】
前記静圧的圧縮媒体が非晶質を含んでいる、請求項１に記載の装置。
【請求項３】
前記静圧的圧縮媒体がガラスを含んでいる、請求項２に記載の装置。
【請求項４】
前記ガラスが前記ワークピースを封入している、請求項３に記載の装置。
【請求項５】
前記ガラスが前記ワークピースによって担持される、請求項３に記載の装置。
【請求項６】
前記静圧的媒体が、第１の温度と第２の温度の間で前記ワークピースと反応しない、請求項１に記載の装置。
【請求項７】
前記ワークピースの所望の外形が、異なる方向に延びる部分を有する複雑なものであり、且つ本装置が、前記協働する第１及び第２のダイを含む単一の作用ダイを含んでいる、請求項１に記載の装置。
【請求項８】
更にコントローラを備え、前記コントローラが、
前記ワークピースの冷却速度が相転移温度範囲内において低下した後に急速冷却速度に復帰したことを検出することにより、前記ワークピースが前記ワークピースのβ転移温度を下回る第２の温度であることを決定し、
前記ワークピースが第２の温度であるという決定に応答して前記ワークピースの加熱を開始させ、
前記ワークピースがキュリー温度に到達したことを検出することにより、前記ワークピースが前記ワークピースのβ転移温度を上回る第１の温度であることを決定し、
前記ワークピースが第１の温度であるという決定に応答して前記ワークピースの冷却を開始させる
ように構成されている、請求項１に記載の装置。
【請求項９】
更に、電源と、前記電源に応答性であって、電磁エネルギーを放出することにより前記サセプタを加熱する誘導加熱コイルとを備えており、前記コントローラが、前記電源によって前記誘導加熱コイルに供給される電流レベルの低下が完了したことを検出することにより、前記ワークピースが前記β転移温度を上回る第１の温度であることを決定するように構成されている、請求項８に記載の装置。
【請求項１０】
転移温度を下回る第１の固相から転移温度を上回る第２の固相へと変化するように構成されたプリフォームと、
前記プリフォームの少なくとも一の側面に配置された静圧的圧縮媒体であって、相転移温度範囲内で１０３ポアズを上回る粘度を有する液体である静圧的圧縮媒体と
を備えるプリフォームアセンブリ。
【請求項１１】
前記静圧的圧縮媒体が非晶質材料を含んでいる、請求項１０に記載のプリフォームアセンブリ。
【請求項１２】
前記非晶質材料が前記プリフォームを封入している、請求項１１に記載のプリフォームアセンブリ。
【請求項１３】
前記静圧的媒体が、前記温度範囲内でプリフォームと反応しない、請求項１０に記載のプリフォームアセンブリ。
【請求項１４】
所望の外形を有するワークピースのフォーミング方法であって、
ダイアセンブリによって画定されるダイの空洞内にワークピースを配置することであって、前記ダイの空洞が前記ワークピースの所望の外形を画定し、静圧的圧縮媒体も前記ダイの空洞内に配置されて前記ワークピースの少なくとも一の側面近傍に位置すること、
前記ワークピースのβ転移温度を上回る第１の温度と、前記ワークピースのβ転移温度を下回る第２の温度との間で前記ワークピースの温度を繰り返し周期的に変化させること、及び
前記ワークピースと前記静圧的圧縮媒体とに圧力を印加すると同時に、前記第１の温度と前記第２の温度との間で前記ワークピースの温度を繰り返し周期的に変化させることであって、前記第１の温度と前記第２の温度との間で前記ワークピースの温度を繰り返し周期的に変化させる間は前記静圧的圧縮媒体が１０３ポアズを上回る粘度の液相に維持されること
を含む方法。
【請求項１５】
前記第１の温度と前記第２の温度との間で前記ワークピースの温度を繰り返し周期的に変化させることが、
前記ワークピースの冷却速度が前記相転移温度範囲内において低下した後で急速冷却速度に復帰したことを検出することにより、前記ワークピースが前記ワークピースのβ転移温度を下回る前記第２の温度であることを決定すること、
前記ワークピースが前記第２の温度であるという決定に応答してワークピースを加熱すること、
前記サセプタがキュリー温度に到達したことを検出することにより、前記ワークピースが前記ワークピースのβ転移温度を上回る第１の温度であることを決定すること、及び
前記ワークピースが前記第１の温度であるという決定に応答してワークピースの冷却を開始させること
を含む、請求項１４に記載の方法。
【請求項１６】
電源と、前記電源に応答性であって、電磁エネルギーを放出して前記ワークピースを加熱するように構成された誘導加熱コイルとを供給することを更に含み、前記ワークピースが前記β転移温度を上回る前記第１の温度であることを決定することが、前記電源により前記誘導加熱コイルに供給される電流レベルの低下が完了したことを検出することを含む、請求項１５に記載の方法。
【手続補正２】
【補正対象書類名】明細書
【補正対象項目名】００３９
【補正方法】変更
【補正の内容】
【００３９】
当業者であれば、本明細書に記載される本発明には多数の修正例及び他の実施形態が想起可能であり、本発明が関連するそれら修正例及び実施形態は、上述の説明及び添付図面に提示された教示の利点を有している。例えば、複数の例示的処理パラメータはＴｉ−６−４粉末合金の処理に関連して上述されているのであり、他の材料から形成されるワークピースには他の処理パラメータが適切である。加えて、本発明の実施形態は、ワークピースの相を繰り返し変化させるのに十分な温度の周期的変化に関連して説明したが、本発明の他の実施形態は、反復されるワークピースの相転移ではなく、組み合わせられてワークピースを形成する二つの材料が温度の周期的変化に応答して呈する熱膨張の差異により生じる内部応力に基づいて、ワークピースを形成することができる。したがって、本発明は、開示された特定の実施形態に限定されるのではなく、修正例及び他の実施形態も特許請求の範囲に含まれることを理解されたい。本明細書では特定の表現が使用されているが、それらは一般的な意味で、説明のために使用されているのであって、限定を目的としていない。
また、本願は以下に記載する態様を含む。
（態様１）
所望の外形を有するワークピースのフォーミング装置であって、
協働する第１及び第２のダイと、
導電体からなるサセプタであって、前記協働する第１及び第２のダイと共に、前記ワークピースを受けるダイの空洞を画定しており、前記ダイの空洞が前記ワークピースの所望の外形を画定しており、且つ前記ダイの空洞と熱的に連通することにより、前記ワークピースのβ転移温度を上回る第１の温度と、前記ワークピースのβ転移温度を下回る第２の温度との間で前記ワークピースの温度を繰り返し周期的に変化させるサセプタと、
前記ダイの空洞内部に配置されて前記ワークピースの少なくとも一の側面近傍に位置する静圧的圧縮媒体であって、前記第１の温度と前記第２の温度との間で１０３ポアズを上回る粘度を有する液体である媒体と
を備える装置。
（態様２）
前記静圧的圧縮媒体が非晶質を含んでいる、態様１に記載の装置。
（態様３）
前記静圧的圧縮媒体がガラスを含んでいる、態様２に記載の装置。
（態様４）
前記ガラスが前記ワークピースを封入している、態様３に記載の装置。
（態様５）
前記ガラスが前記ワークピースによって担持される、態様３に記載の装置。
（態様６）
前記静圧的媒体が、第１の温度と第２の温度の間で前記ワークピースと反応しない、態様１に記載の装置。
（態様７）
前記ワークピースの所望の外形が、異なる方向に延びる部分を有する複雑なものであり、且つ本装置が、前記協働する第１及び第２のダイを含む単一の作用ダイを含んでいる、態様１に記載の装置。
（態様８）
更にコントローラを備え、前記コントローラが、
前記ワークピースの冷却速度が相転移温度範囲内において低下した後に急速冷却速度に復帰したことを検出することにより、前記ワークピースが前記ワークピースのβ転移温度を下回る第２の温度であることを決定し、
前記ワークピースが第２の温度であるという決定に応答して前記ワークピースの加熱を開始させ、
前記ワークピースがキュリー温度に到達したことを検出することにより、前記ワークピースが前記ワークピースのβ転移温度を上回る第１の温度であることを決定し、
前記ワークピースが第１の温度であるという決定に応答して前記ワークピースの冷却を開始させる
ように構成されている、態様１に記載の装置。
（態様９）
更に、電源と、前記電源に応答性であって、電磁エネルギーを放出することにより前記サセプタを加熱する誘導加熱コイルとを備えており、前記コントローラが、前記電源によって前記誘導加熱コイルに供給される電流レベルの低下が完了したことを検出することにより、前記ワークピースが前記β転移温度を上回る第１の温度であることを決定するように構成されている、態様８に記載の装置。
（態様１０）
転移温度を下回る第１の固相から転移温度を上回る第２の固相へと変化するように構成されたプリフォームと、
前記プリフォームの少なくとも一の側面に配置された静圧的圧縮媒体であって、相転移温度範囲内で１０３ポアズを上回る粘度を有する液体である静圧的圧縮媒体と
を備えるプリフォームアセンブリ。
（態様１１）
前記静圧的圧縮媒体が非晶質を含んでいる、態様１０に記載のプリフォームアセンブリ。
（態様１２）
前記静圧的媒体がガラスを含んでいる、態様１１に記載のプリフォームアセンブリ。
（態様１３）
前記ガラスが前記プリフォームを封入している、態様１２に記載のプリフォームアセンブリ。
（態様１４）
前記静圧的媒体が、前記温度範囲内でプリフォームと反応しない、態様１０に記載のプリフォームアセンブリ。
（態様１５）
所望の外形を有するワークピースのフォーミング方法であって、
ダイアセンブリによって画定されるダイの空洞内にワークピースを配置することであって、前記ダイの空洞が前記ワークピースの所望の外形を画定し、静圧的圧縮媒体も前記ダイの空洞内に配置されて前記ワークピースの少なくとも一の側面近傍に位置すること、
前記ワークピースのβ転移温度を上回る第１の温度と、前記ワークピースのβ転移温度を下回る第２の温度との間で前記ワークピースの温度を繰り返し周期的に変化させること、及び
前記ワークピースと前記静圧的圧縮媒体とに圧力を印加すると同時に、前記第１の温度と前記第２の温度との間で前記ワークピースの温度を繰り返し周期的に変化させることであって、前記第１の温度と前記第２の温度との間で前記ワークピースの温度を繰り返し周期的に変化させる間は前記静圧的圧縮媒体が１０３ポアズを上回る粘度の液相に維持されること
を含む方法。
（態様１６）
前記静圧的圧縮媒体がガラスを含む、態様１５に記載の方法。
（態様１７）
前記ガラスが前記ワークピースを封入する、態様１６に記載の方法。
（態様１８）
前記ガラスが前記ワークピースによって担持される、態様１６に記載の方法。
（態様１９）
前記第１の温度と前記第２の温度との間で前記ワークピースの温度を繰り返し周期的に変化させることが、
前記ワークピースの冷却速度が前記相転移温度範囲内において低下した後で急速冷却速度に復帰したことを検出することにより、前記ワークピースが前記ワークピースのβ転移温度を下回る前記第２の温度であることを決定すること、
前記ワークピースが前記第２の温度であるという決定に応答してワークピースを加熱すること、
前記サセプタがキュリー温度に到達したことを検出することにより、前記ワークピースが前記ワークピースのβ転移温度を上回る第１の温度であることを決定すること、及び
前記ワークピースが前記第１の温度であるという決定に応答してワークピースの冷却を開始させること
を含む、態様１５に記載の方法。
（態様２０）
電源と、前記電源に応答性であって、電磁エネルギーを放出して前記ワークピースを加熱するように構成された誘導加熱コイルとを供給することを更に含み、前記ワークピースが前記β転移温度を上回る前記第１の温度であることを決定することが、前記電源により前記誘導加熱コイルに供給される電流レベルの低下が完了したことを検出することを含む、態様１９に記載の方法。